(57)【要約】【課題】建造物内で薬剤を噴霧しなくても、建造物内に害虫が侵入するのを継続的に安定して防止しうる方法を提供すること。【解決手段】建造物外部の出入口または窓の近傍に薬剤蒸散装置を設置し、建造物の出入口または窓の面積１ｍ2 あたり０．５〜８０ｍｇ／ｈの薬剤の蒸散量で、前記薬剤蒸散装置から薬剤を蒸散させることを特徴とする建造物内への害虫侵入防止方法。【選択図】なし【特許請求の範囲】
【請求項１】
建造物外部の出入口または窓の近傍に薬剤蒸散装置を設置し、建造物の出入口または窓の面積１ｍ2 あたり０．５〜８０ｍｇ／ｈの薬剤の蒸散量で、前記薬剤蒸散装置から薬剤を蒸散させることを特徴とする建造物内への害虫侵入防止方法。
【請求項２】
薬剤蒸散装置が、蒸散した薬剤を蒸散させるためのファンおよび薬剤担持体を有する請求項１記載の建造物内への害虫侵入防止方法。
【請求項３】
薬剤蒸散装置のファンを電池の起電力を利用してモータによって駆動させる請求項２記載の建造物内への害虫侵入防止方法。
【請求項４】
薬剤がピレスロイド系殺虫剤である請求項１〜３いずれか記載の建造物内への害虫侵入防止方法。
【請求項５】
ピレスロイド系殺虫剤が常温蒸散性を有する請求項４記載の建造物内への害虫侵入防止方法。
【請求項６】
常温蒸散性を有するピレスロイド系殺虫剤がメトフルトリン、トランスフルトリンおよびプロフルトリンからなる群より選ばれた少なくとも１種である請求項５記載の建造物内への害虫侵入防止方法。
【請求項７】
薬剤蒸散装置を建造物外部の出入口または窓の上部またはその軒下に設置する請求項１〜６いずれか記載の建造物内への害虫侵入防止方法。
【発明の詳細な説明】
【技術分野】
【０００１】
本発明は、建造物内への害虫侵入防止方法に関する。さらに詳しくは、例えば、コンビニエンスストア、飲食店などの店舗や、食品工場、薬品工場などの工場などの建造物の出入口や窓の付近でハエ、蚊、蛾などの害虫を駆除し、または忌避させることにより、建造物内に害虫が侵入するのを未然に防止しうる建造物内への害虫侵入防止方法に関する。
【背景技術】
【０００２】
コンビニエンスストア、飲食店などの店舗においては、その扉の開閉により、外気とともにハエ、蚊などの害虫が店舗内に侵入し、来客などに不快感を与えたり、飲食物がハエなどがとまることによって不衛生となることがある。また、食品工場などでは、食品衛生上、これらの害虫が工場内に侵入するのを防止することが望まれている。
【０００３】
従来、こうした害虫を防除する有効な方法として、エアゾール自動噴霧装置を建物内に設置し、エアゾールから薬剤を空気中に間欠的に噴霧する飛翔害虫の防除方法が提案されており（例えば、特許文献１参照）、この方法によれば、簡易な装置で飛翔害虫を効率よく防除することができるという利点がある。
【０００４】
しかしながら、この方法では、エアゾールから薬剤が空気中に間欠的に噴霧されるので、継続的に一定した防除効果を得ることが難しく、また建物内での薬剤の噴霧であるため、店舗などにおいては、その店員などが長時間にわたって噴霧された薬剤を吸引することがあることから、人体に対する安全性が確認されている薬剤であるとはいえ、その薬剤が吸引により人体内に取り込まれることをできるだけ回避することが望ましい。
【０００５】
したがって、近年、建造物内に薬剤を噴霧しなくても、建造物内に害虫が侵入するのを未然に防止しうる建造物内への害虫侵入防止方法の開発が待ち望まれている。
【０００６】
【特許文献１】特開２００２−２２０３０１号公報
【発明の開示】
【発明が解決しようとする課題】
【０００７】
本発明は、前記従来技術に鑑みてなされたものであり、建造物内で薬剤を噴霧しなくても、建造物内に害虫が侵入するのを継続的に安定して防止しうる方法を提供することを課題とする。
【課題を解決するための手段】
【０００８】
本発明は、建造物外部の出入口または窓（以下、「出入口など」という）の近傍に薬剤蒸散装置を設置し、建造物の出入口などの面積１ｍ2 あたり０．５〜８０ｍｇ／ｈの薬剤の蒸散量で、前記薬剤蒸散装置から薬剤を蒸散させることを特徴とする建造物内への害虫侵入防止方法に関する。
【発明の効果】
【０００９】
本発明によれば、建造物内で薬剤を噴霧しなくても、建造物内に害虫が侵入するのを継続的に安定して防止することができる。
【発明を実施するための最良の形態】
【００１０】
害虫、そのなかでも飛翔害虫は、昼夜を問わずに屋外から飛来し、建造物内に侵入することから、建造物内の空間に絶えず殺虫剤を噴霧させておくことが考えられている。特に、人の出入りが多い建造物内には、殺虫剤の噴霧を空間内に拡散させ、できるだけ長時間存在させておくことが必要となる。しかしながら、殺虫剤の噴霧を建造物内の空間に常時拡散させておくことは難しく、また建造物内の空間に殺虫剤の噴霧を拡散させておくと、呼吸により必然的に人体内に殺虫剤が取り込まれるので、できるだけこれを回避することが望ましい。
【００１１】
本発明は、こうした欠点を払拭し、建造物内で殺虫剤を噴霧しなくても建造物内に害虫が侵入するのを抑制することができるという画期的な発明である。
【００１２】
本発明では、このように建造物内で殺虫剤を噴霧することを要しないのは、本発明においては、従来のようにエアゾールを用いるのではなく、薬剤を散布させる手段として、薬剤蒸散装置を用い、建造物外部の出入口などの近傍に薬剤蒸散装置を設置するとともに、該薬剤蒸散装置から薬剤を蒸散させるという方法が採られていることに基づく。そして、本発明では、かかる方法が採られていることにより、建造物内ではなく建造物外で、ハエ、蚊、蛾などの害虫を駆除したり、忌避させることができるので、建造物内に害虫が侵入するのを未然に防止することができ、ひいては害虫が店舗内に侵入することにより、来客などに不快感を与えたり、飲食物がハエなどがとまることによって不衛生となることや、食品工場などに害虫が侵入することにより食品衛生面で支障を来すことを未然に防止することができる。
【００１３】
また、本発明で用いられている薬剤蒸散装置は、構造的に複雑でなく、嵩ばらずに非常にコンパクトにすることができるので、設置場所をほとんど選ばず、また、特殊な技術を要しなくても容易に設置することができるので、建造物外部の出入口などの付近に容易に設置することができる。
【００１４】
このように、本発明の害虫侵入防止方法は、種々の利点を有するので、例えば、コンビニエンスストア、飲食店などの店舗や、食品工場、薬品工場などの工場をはじめ、一般家屋、病院などの医療施設、各種学校などの校舎、体育館、博物館、美術館などの公共施設、公衆浴場、バンガロー、キャビンなどのキャンピング施設などの建造物に広範囲に使用することができる。
【００１５】
本発明の方法によれば、建造物外部の出入口などの近傍に薬剤蒸散装置を設置し、該薬剤蒸散装置から薬剤を蒸散させることにより、種々の害虫が建造物内に侵入することを未然に防止することができる。
【００１６】
害虫としては、例えば、ハエ、アブ、蚊、チョウバエ、ユスリカ、ノミバエ、キノコバエなどの双翅目昆虫、ハチ、アリなどの膜翅目昆虫、ハムシ、コガネムシ、ハネカクシ、カナブン、カミキリモドキなどの鞘翅目昆虫、メイガ、スズメガなどの鱗翅目昆虫、ウンカ、アブラムシ、カメムシなどの半翅目昆虫、ジョロウグモ、ハエトリグモなどのクモ類などが挙げられるが、本発明は、かかる例示のみに限定されるものではない。
【００１７】
薬剤蒸散装置は、建造物外部の出入口などの近傍に設置することができる。建造物の出入口は、例えば、店舗においては、その来客などが出入りする出入口などを意味し、また工場においては、人間が出入りする出入口や、資材や製品などの搬入・搬出口を意味する。また、建造物の窓は、一般に建造物に設けられている窓を意味し、例えば、換気や太陽光線を建造物内に入射させるための窓などが挙げられる。
【００１８】
また、建造物外部の出入口などの近傍とは、建造物外部の出入口などの近くであればよいことを意味し、その出入口などの近傍の範囲は、建造物の種類などによって異なるので、一概には決定することができない。通常、薬剤蒸散装置が設置される建造物外部の出入口などの近傍は、薬剤蒸散装置から蒸散される薬剤によって害虫が建造物内に侵入するのを充分に抑制する観点から、建造物外部の出入口などの端部からその外部に向かって直線距離で約２ｍ以内の範囲内、好ましくは約１ｍ以内の範囲内、より好ましくは０．５ｍ以内の範囲内、さらに好ましくは０．３ｍ以内の範囲内にあることが好ましい。また、薬剤蒸散装置は、建造物外部の出入口などに隣接するように設置してもよい。
【００１９】
薬剤蒸散装置としては、例えば、蒸散した薬剤を蒸散させるためのファンおよび薬剤担持体を有するものが挙げられる。
【００２０】
ファンは、例えば、薬剤蒸散装置内に収納された乾電池などの電池の起電力を利用してモータを駆動させたり、一般家庭用電源による電力によってモータを駆動させ、その駆動力を利用して回転させることができる。
【００２１】
その内部に乾電池などの電池が収納され、その電池の起電力を利用してモータを駆動させ、その駆動力を利用してファンが回転するようにファンが配設された薬剤蒸散装置は、薬剤蒸散装置と電源とを接続するための電気コードを必要としないので、面倒な配線工事などが不要であり、しかも持ち運びが容易であるとともに、屋外の種々の場所で設置しやすく、また漏電や感電などのおそれがほとんどないので、万一、雨水などが薬剤蒸散装置にかかったとしても安全であることから、屋外で好適に使用することができるという利点がある。
【００２２】
薬剤担持体は、薬剤を担体に担持させたものである。薬剤担持体としては、例えば、薬剤を粒子に付着ないし含浸させた薬剤担持粒子、薬剤を溶媒に溶解させた溶液に担体として吸液芯の一端を浸漬することにより、該溶液を吸液させ、吸液芯の他端を大気中に開放した薬剤吸液芯などが挙げられる。
【００２３】
薬剤担持体に用いられる材質としては、例えば、ポリエチレン、ポリプロピレン、ポリ塩化ビニル、ポリ塩化ビニリデン、ポリエチレンテレフタレートやポリブチレンテレフタレートなどのポリエステル、ポリアミド、ポリサルフォン、アクリル系樹脂、高吸油性ポリマーなどの合成樹脂、ガラス繊維などの無機繊維、パルプ、リンター、レーヨンその他天然または合成セルロースを主成分とする素材、綿、麻、絹、羊毛などの天然繊維を布、不織布、紙、粒子などに加工したものなどが挙げられるが、本発明は、かかる例示のみに限定されるものではない。これらのなかでは、非油溶性であることから、パルプ、リンター、レーヨン、ポリエステル、ポリプロピレンなどを紙、布、不織布、粒子に加工したもの、天然または合成セルロースを粒子に加工したもの（例えば、セルロースビーズなど）などが好ましい。
【００２４】
前記薬剤担持体の形状は、薬剤カートリッジの通風孔から抜け落ちず、かつ通気性を確保することができるものであれば特に制限されない。その例としては、糸状、繊維状、シート状物を折り畳んだもの、粒子、ペレットなどが挙げられる。
【００２５】
粒子の場合、その直径は、通風孔から抜け落ちるのを防ぐとともに、細密に充填されるのを回避して通気性を確保する観点、および充填効率を高めるとともに、比表面積を大きくし、薬剤の蒸散効率を高める観点から、好ましくは２〜１５ｍｍ、より好ましくは３〜１０ｍｍである。なお、前記粒子は、必要により、薬剤担持粒子の薬剤の残存量を知るためのインジケーターとして直接または間接的に用いることができる。粒子にインジケーター機能を持たせるためには、例えば、粒子の色を変化させるために、アリルアミノアントラキノン、１，４−ジイソプロピルアミノアントラキノン、１，４−ジアミノアントラキノン、１，４−ジブチルアミノアントラキノン、１−アミノ−４−アニリノアントラキノンなどの色素を用いることができる。
【００２６】
薬剤担持粒子には、前記粒子に薬剤を塗布または含浸させることによって薬剤が担持されていてもよく、粒子を製造する前の原料樹脂に薬剤を添加し、混練することにより、薬剤担持粒子内に取り込まれていてもよい。これらのなかでは、薬剤を効率よく蒸散させる観点から、薬剤を含浸させることによって薬剤が担持された薬剤担持粒子が好ましい。
【００２７】
なお、薬剤担持粒子における薬剤量は、薬剤担持粒子の大きさおよびその使用量、薬剤の種類、薬剤蒸散装置の使用期間などによって大きく異なるので一概には決定することができないため、これらに応じて適宜決定することが好ましい。
【００２８】
薬剤担持粒子は、例えば、通気性を有するが、薬剤担持粒子が通過しない孔が配設された側面を有するカートリッジ内に充填することができる。このように、カートリッジを用いた場合、使用済みのカートリッジを新しいカートリッジと交換するだけで、新しい薬剤担持粒子を薬剤蒸散装置内に装着することができるという利点がある。
【００２９】
カートリッジは、側面に通気孔を有し、その内側に空間が設けられた凹型の内容器と、側面に通気孔を有する凹型の外容器とを重ね合わせ、両容器間の間隙に薬剤担持粒子を充填することによって構成されていることが、内容器の内側の空間をファンで吸気することにより、外容器の通気孔から空気を取り込み、この取り込まれた空気を強制的に各薬剤担粒子間の間隙および内容器の通気孔に順次通過させることにより、薬剤を効率よく蒸散させることができるので、好ましい。
【００３０】
薬剤担持体として、薬剤を溶媒に溶解させた溶液に吸液芯の一端を浸漬させることにより、吸液芯に該溶液を吸液させ、吸液芯の他端を大気中に開放した薬剤吸液芯を用いる場合、例えば、モータを駆動源としてファンを回転させることによって前記吸液芯の他端に送風するかまたはこれに通気することにより、この他端から薬剤を蒸散させ、蒸散した薬剤を薬剤蒸散装置内部から外部に排出させることができる。
【００３１】
薬剤を溶媒に溶解させた溶液に用いられる溶媒としては、例えば、エチルアルコール、イソプロピルアルコール、ｎ−プロピルアルコールなどの低級アルコール類；エチレングリコール、トリエチレングリコール、ポリエチレングリコール、プロピレングリコール、グリセリンなどの多価アルコール類；ケロシン（灯油）、ｎ−ペンタン、イソペンタンなどの脂肪族炭化水素類；酢酸エチル、ミリスチン酸イソプロピルなどのエステル類；アセトン、メチルエチルケトンなどのケトン類、流動パラフィン、水などが挙げられる。これらの溶媒の種類は、本発明の飛翔害虫の防除方法の適用場所、殺虫剤などの薬剤との相溶性などに応じて適宜選択して使用することが好ましい。
【００３２】
前記溶液における薬剤濃度は、薬剤の溶解性、吸液芯の吸い上げ能力、揮散性および安全性の観点から、０．１〜５０重量％、好ましくは２〜３０重量％であることが望ましい。
【００３３】
吸液芯としては、薬剤溶液を吸い上げることができるものであればよい。吸液芯の例としては、無機粉末や有機粉末を糊剤で粘結させたものや、熱可塑性樹脂粒子を焼結させたものなどが挙げられる。
【００３４】
吸液芯の大きさおよび形状は、任意である。その一例として、直径３〜１５ｍｍ程度、長さ１０〜１００ｍｍ程度の棒状体などが挙げられる。なお、吸液芯には、必要に応じて、例えば、ジブチルヒドロキシトルエンなどの蒸散量調整剤を含有させてもよい。
【００３５】
薬剤担持体に用いられる薬剤としては、有機リン系殺虫剤、カーバメート系殺虫剤、天然精油系殺虫剤などと対比して、即効性および忌避性があるとともに、比較的人体や食品に対する安全性に優れ、環境に対する負荷が小さく、無臭であるとともに汚染性が小さいことから、ピレスロイド系殺虫剤が好ましい。そのなかでは、効率よく薬剤を蒸散させる観点から、常温蒸散性のピレスロイド系殺虫剤が好ましい。
【００３６】
常温蒸散性を有するピレスロイド系殺虫剤の代表例としては、メトフルトリン、トランスフルトリン、プロフルトリン、アレスリン、ｄｌ・ｄ−Ｔ８０−アレスリン、ｄｌ・ｄ−Ｔ−アレスリン、ｄ・ｄ−Ｔ−アレスリン、ｄ・ｄ−Ｔ８０−プラレトリン、レスメトリン、ｄ・Ｔ８０−レスメトリン、エムペントリン、テラレトリン、フラメトリン、フェノトリン、エトフェンプロックス、テフルスリン、フェンフルスリンなどが挙げられる。これらの中では、ハエ、蚊、羽蟻などに対する殺虫効果に優れ、低汚染性であり、薬効の持続性に優れるとともに、安全性にも優れていることから、メトフルトリン、トランスフルトリンおよびプロフルトリンが好ましい。
【００３７】
なお、薬剤は、通常用いられている害虫防除剤、忌避剤、効力増強剤、界面活性剤、防錆剤、酸化防止剤、着色剤、香料、消臭剤、紫外線吸収剤、除菌剤などと、本発明の目的が阻害されない範囲内で適量で併用してもよい。
【００３８】
次に、本発明に用いられる薬剤蒸散装置を図面に基づいて説明するが、本発明は、かかる図面に記載の薬剤蒸散装置のみに限定されるものではない。
【００３９】
図１は、本発明に用いられる薬剤蒸散装置の一実施態様を示す概略説明図である。図１において、蒸散装置本体１には、蒸散した薬剤を蒸散させるためのファン（図示せず）および該ファンと接続され、該ファンを回転させるためのモータ（図示せず）が内蔵された薬剤蒸散部２が配設されている。薬剤の蒸散量は、ファンの回転速度を可変させたり、ファンを間欠運転することにより、任意に制御することができる。
【００４０】
薬剤蒸散部２は、側面に空気取入口３が配設されたカートリッジ４と接続されている。カートリッジ４内には、薬剤担持体（図示せず）が内蔵されている。ファン（図示せず）を駆動させたとき、空気取入口３から空気が取り込まれ、その空気は、各薬剤担持体間の間隙を通過することにより、薬剤が蒸散し、その蒸散した薬剤が薬剤蒸散部２から排出される。なお、空気取入口３から取り込まれる空気は、蒸散装置本体１の側面に配設されている側面空気取入口７および底面空気取入口（図示せず）から供給される。このように、カートリッジ４内への空気の取り入れから、薬剤蒸散部２で蒸散された薬剤の排出に至るまでの一連の流れを連続して効率よく進行させることができる。
【００４１】
蒸散された薬剤は、薬剤蒸散部２から排出された後、蓋本体５の薬剤蒸散口６から大気中に排出される。
【００４２】
蓋本体５には、必要により、蒸散装置本体１を固定するためのロック部８が配設されていてもよい。また、蓋本体５には、カートリッジ４の交換時期を示すパイロットランプ９が設けられているが、これも任意である。
【００４３】
カートリッジ４の寿命は、例えば、カートリッジ４の大きさやその内部に充填されている薬剤担持体の使用量などによって異なるので一概に決定することができないため、これらに応じて適宜決定することが好ましい。なお、ファン（図示せず）を駆動するモータ（図示せず）を連続して稼働させ、そのモータを稼働させるための通電時間が所定時間となったときにパイロットランプ９が消灯するようにしておけば、カートリッジ４の寿命を外部から容易に目視により確認することができる。また、カートリッジ４の寿命は、平均的な乾電池１０の寿命とほぼ同しくなるように設計しておくことが、カートリッジ４の交換と乾電池１０の交換を一度に行うことができるので好ましい。
【００４４】
なお、乾電池１０が設置される位置は、任意である。図１に示される蒸散装置本体１においては、薬剤蒸散部２の背面に設置されている乾電池ボックス１１に、乾電池１０が収納される。
【００４５】
薬剤蒸散装置は、従来のエアゾール自動噴霧装置とは異なり、電源スイッチ１２を入れることにより連続して稼働させることができるので、常時、害虫が建造物内に侵入するのを防止することができることから、例えば、２４時間営業のコンビニエンスストアなどのように、出入口などの開閉が昼夜を問わず行なわれる建造物などに好適に用いることができる。
【００４６】
また、薬剤蒸散装置内にタイマー（図示せず）を組み込んでおいた場合には、設置する店舗、工場、事務所などの業態にあわせて、１日あたりの稼働時間を任意に可変することができる。さらに、薬剤蒸散装置を人手が届かないような高所に設置する場合には、有線または無線による遠隔操作機能（図示せず）を薬剤蒸散装置に設置することもできる。
【００４７】
薬剤蒸散装置から蒸散される薬剤の蒸散量は、建造物内への害虫の侵入を効率よく防止し、その害虫の侵入防止効果を持続させるとともに、人体などに対する安全性を高める観点から、建造物の出入口などの面積１ｍ2 あたり、０．５〜８０ｍｇ／ｈ、好ましくは１〜８０ｍｇ／ｈ、より好ましくは１〜５０ｍｇ／ｈ、さらに好ましくは３〜５０ｍｇ／ｈ、より一層好ましくは５〜５０ｍｇ／ｈである。
【００４８】
また、薬剤を含む空気が薬剤蒸散装置の薬剤蒸散口から蒸散されるときの流速は、建造物の出入口などの形状や大きさ、薬剤蒸散装置の設置場所などによって異なるので一概には決定することができないが、通常、害虫が建造物内に侵入するのを効率よく防止する観点および長時間にわたって薬剤が蒸散されるようにする観点から、１０〜１０００Ｌ／ｍｉｎ、好ましくは５０〜５００Ｌ／ｍｉｎであることが望ましい。
【００４９】
建造物外部の出入口などの近傍に設置された薬剤蒸散装置から薬剤を蒸散させる方向は、害虫が建造物内に侵入するのを効率よく防止する観点から、例えば、図２（ａ）および（ｂ）に示されるように、蒸散された薬剤がドア面に沿って流れ、蒸散された薬剤の層がドア面に沿って形成されるように設定することが好ましい。
【００５０】
図２（ａ）は、薬剤蒸散装置１５をドアの上部に設置した場合の一実施態様を示す概略説明図である。図２（ａ）に示された態様では、薬剤蒸散装置１５の設置面からの薬剤の蒸散角度が約３０度となるように、薬剤がドアの上部からドア面に向かって蒸散されるので、蒸散された薬剤は、ドアの上部からドア面に沿って床方向に移動することから、ドア面近傍では、薬剤濃度が高い薬剤の蒸散層が形成される。
【００５１】
また、図２（ｂ）は、薬剤蒸散装置１５を軒下に設置した場合の一実施態様を示す概略説明図である。図２（ｂ）に示された態様では、薬剤蒸散装置１５の設置面からの薬剤の蒸散角度が約３０度となるように、薬剤が軒下に沿って蒸散され、蒸散された薬剤は、さらにドア面に沿って下方向に移動するので、ドア面近傍で薬剤濃度が高い薬剤の蒸散層が形成される。
【００５２】
図２（ａ）および（ｂ）に示されるように、薬剤を蒸散させた場合には、薬剤濃度が高い薬剤の蒸散層がドア面近傍で形成されるため、害虫が建造物内に侵入するのを効率よく阻止することができる。このように、害虫が建造物内に侵入するのを効率よく阻止させるためには、薬剤蒸散装置１５の設置面からの薬剤の蒸散角度は、０〜６０度であることが好ましく、１０〜４５度であることがより好ましく、１０〜３０度であることがさらに好ましい。
【００５３】
次に、建造物外部の出入口などの近傍に薬剤蒸散装置を設置したときの一実施態様を図面に基づいて説明するが、本発明は、かかる態様のみによって限定されるものではない。
【００５４】
図３は、コンビニエンスストアの外部の出入口１３の上部の軒下の外壁１４に薬剤蒸散装置１５が設置されているときの一実施態様を示す概略説明図である。図３において、薬剤蒸散装置１５は、コンビニエンスストアの軒下の外壁１４に２台設置されているが、本発明においては、かかる設置台数には、特に限定がなく、コンビニエンスストア内への害虫が侵入するのを充分に防止することができる場合には、１台であってもよい。また、コンビニエンスストア内への害虫が侵入するのを防止するのを効果的に防止する観点から、コンビニエンスストア（建造物）の出入口面積１ｍ2 あたりの薬剤の蒸散量が前述した所望量となるように、薬剤蒸散装置１５を複数台設置することが好ましい。
【００５５】
図３においては、薬剤蒸散装置１５は、コンビニエンスストアの軒下に設置されていることから、子供の手が薬剤蒸散装置１５に届かないので安全であり、あまり目立たないので美観を損ねることがほとんどなく、また、歩行時の障害になることもない。
【００５６】
また、薬剤蒸散装置１５の設置面からの薬剤の蒸散角度が約３０度となるように、薬剤が軒下に沿って蒸散され、蒸散された薬剤は、さらにドア面に沿って下方向に移動するので、ドア面で薬剤蒸気の層が形成され、床面近傍では、薬剤濃度が高い薬剤の蒸散層が形成されることから、害虫がコンビニエンスストア内に入るのを効率よく防止することができる。設置されている薬剤蒸散装置１１の台数は、出入口面積が大きいことから、２台であるが、コンビニエンスストアの出入口面積がさらに大きい場合には、３台以上であってもよい。
【００５７】
図４は、ショッピングセンターの外部の出入口１３の上部の外壁１４に薬剤蒸散装置１５が設置されているときの一実施態様を示す概略説明図である。図４において、薬剤蒸散装置１５は、ショッピングセンターの出入口１３の上部に２台設置されているが、ショッピングセンター内への害虫が侵入するのを充分に防止することができる場合には、１台であってもよい。また、ショッピングセンター内への害虫が侵入するのを効果的に防止する観点から、ショッピングセンター（建造物）の出入口面積１ｍ2 あたりの薬剤の蒸散量が前述した所望量となるように、薬剤蒸散装置１５を複数台設置することが好ましい。
【００５８】
図４においては、薬剤蒸散装置１５は、ショッピングセンターの出入口１３の上部に設置されていることから、薬剤蒸散装置１５が目立ちにくいので、ショッピングセンターの美観を損ねることがほとんどなく、歩行時の障害となることもない。また、薬剤蒸散装置１５の設置面からの薬剤の蒸散角度が約３０度となるように、薬剤がドアの上部からドア面に沿ってドアの下部に向かって蒸散され、薬剤蒸気の層が形成されるので、ドア面近傍では、薬剤濃度が高い薬剤の蒸散層が形成されることから、害虫がショッピングセンター内に入るのを効率よく防止することができる。
【００５９】
設置される薬剤蒸散装置１５の台数は、図４に示されている態様では２台であるが、ショッピングセンターの出入口面積が大きい場合には、３台以上であってもよい。
【００６０】
かくして、建造物外部の出入口近傍に薬剤蒸散装置を設置し、該薬剤蒸散装置から薬剤を蒸散させるた場合には、従来のように建造物内でエアゾールから薬剤を噴霧しなくても、継続的に安定して建造物内への害虫の侵入を防止することができる。
【００６１】
さらに、本発明によれば、建造物内への害虫の侵入を防止することができるのみならず、建造物の出入口などの近傍でクモの営巣を抑制することができ、さらには、二次的効果として、カエル、ヤモリなどの発生も抑制することができる。
【実施例】
【００６２】
次に、本発明を実施例に基づいてさらに詳細に説明するが、本発明はかかる実施例のみに限定されるものではない。
【００６３】
実施例１
図１に示す薬剤蒸散装置を、食品工場の敷地内の建物の入口の直上（床からの高さ：２．２ｍ、出入口面積：約３．６ｍ2 、薬剤：メトフルトリン、対象害虫：ユスリカ）（実験例１−１）、社内食堂の入口の扉の直上の軒下（床からの高さ：２．４ｍ、出入口面積：約１．８ｍ2 、薬剤：トランスフルトリン、対象害虫：ハネアリおよびユスリカ）（実験例１−２）および社内事務所の自動扉の上部（床からの高さ：２．２ｍ、出入口面積：約３．６ｍ2 、薬剤：プロフルトリン、対象害虫：コバエおよびユスリカ）（実験例１−３）に設置し、薬剤蒸散装置の設置面からの薬剤の蒸散角度が３０度となるように設定して表１に示す蒸散量で薬剤を２４時間蒸散させた。
【００６４】
なお、表１において、薬剤の蒸散量は、実験例１−１と実験例１−３では、０．１８、０．３６、１．８、３．６、１８、３６および１８０ｍｇ／ｈの各７段階とし、実験例１−２では、０．０９、０．１８、０．９、１．８、９、１８および９０ｍｇ／ｈの７段階とした。各々の蒸散量を各々の出入口面積（ｍ2 ）で除した値を、建造物の出入口面積１ｍ2 あたりの薬剤の蒸散量（ｍｇ／ｈ）とした。
【００６５】
各建造物内には、害虫を捕虫するための捕虫器を設置し、捕虫器に捕らえられた害虫の数をカウントすることにより、害虫の侵入阻止率を式：
〔侵入阻止率〕
＝〔薬剤蒸散装置の設置前の害虫の侵入数−薬剤蒸散装置の作動時の害虫の侵入数〕
÷〔薬剤蒸散装置の設置前の害虫の侵入数〕
にしたがって求めた。なお、前記式において、薬剤蒸散装置の設置前の時間および薬剤蒸散装置の作動時の時間は、それぞれ等しくなるように調整した。侵入阻止率の結果を表１に示す。
【００６６】
【表１】
2005295810.tif 000002
【００６７】
表１に示された結果から、各実験例において、一定の薬剤の蒸散量で薬剤を蒸散させた場合には、建造物内に害虫が侵入するのを効率よく安定して防止することができることがわかる。
【００６８】
実施例２
図１に示す薬剤蒸散装置を社内の敷地内に設置された図５に示されるシミュレーションルーム１６（床面積：約１３．２ｍ2 、高さ：２．５ｍ、出入口面積：１．８ｍ2 ）の出入口近傍Ａの位置（床からの高さ：約２ｍ）に設置し、シミュレーションルーム１６内には、害虫を捕虫するための捕虫器を設置した。
【００６９】
シミュレーションルーム１６の出入口を開放した状態で、薬剤蒸散装置の設置面からの薬剤の蒸散角度が３０度となるように設定して薬剤蒸散装置から表２に示す各種薬剤を蒸散させ（建造物の出入口面積１ｍ2 あたりの薬剤の蒸散量：５ｍｇ／ｈ、対象害虫：ハネアリおよびユスリカ）、各経過時における害虫の侵入阻止率を実施例１と同様にして調べた。その結果を表２に示す。
【００７０】
【表２】
2005295810.tif 000003
【００７１】
表２に示された結果から、各実験例において、一定の薬剤の蒸散量で薬剤を蒸散させた場合には、建造物内に害虫が侵入するのを効率よく、継続して安定して防止することができることがわかる。また、薬剤のなかでも、トランスフルトリン、プロフルトリンまたはメトフルトリンを用いた場合には、害虫の侵入阻止率を高水準で長期間維持することができることがわかる。
【００７２】
実施例３
薬剤としてメトフルトリンを用い、その建造物の出入口面積１ｍ2 あたりの薬剤の蒸散量を２．８ｍｇ／ｈ、対象害虫をハネアリおよびユスリカとした。図１に示す薬剤蒸散装置の設置位置を図５に示されるシミュレーションルーム１６のＡの位置（床からの高さ：約２ｍ）、Ｂの位置（床からの高さ：約１ｍ）またはＣの位置（床からの高さ：約５ｃｍ）に設置し、２４時間、薬剤の蒸散を行った以外は、実施例２と同様にして害虫の侵入阻止率を調べた。
【００７３】
その結果、薬剤蒸散装置をシミュレーションルーム１６のＡの位置に設置した場合の害虫の侵入阻止率は９０％、Ｂの位置に設置した場合の害虫の侵入阻止率は６０％、Ｃの位置に設置した場合の害虫の侵入阻止率は５０％であった。このことから、薬剤蒸散装置をシミュレーションルーム１６のＡ〜Ｃのいずれの位置に設置した場合であっても、建造物内に害虫が侵入するのを効率よく防止することができることがわかる。特に、薬剤蒸散装置の設置位置をシミュレーションルーム１６のＡの位置（建造物外部の出入口の上部）に設置した場合、Ｂの位置およびＣの位置に設置した場合と対比して、害虫の建造物内への侵入をより効率よく阻止することができることがわかる。
【図面の簡単な説明】
【００７４】
【図１】本発明に用いられる薬剤蒸散装置の一実施態様を示す概略説明図である。
【図２】（ａ）は、本発明における薬剤蒸散装置をドアの上部に設置した場合の一実施態様を示す概略説明図、（ｂ）は、本発明における薬剤蒸散装置１５を軒下に設置した場合の一実施態様を示す概略説明図である。
【図３】本発明に用いられる薬剤蒸散装置をコンビニエンスストアの軒下に設置したときの一実施態様を示す概略説明図である。
【図４】本発明に用いられる薬剤蒸散装置をショッピングセンターの出入口の上部に設置したときの一実施態様を示す概略説明図である。
【図５】本発明の実施例で用いられたシミュレーションルームの概略説明図である。
【符号の説明】
【００７５】
１  蒸散装置本体
２  薬剤蒸散部
３  空気取入口
４  カートリッジ
５  蓋本体
６  薬剤蒸散口
７  側面空気取入口
８  ロック部
９  パイロットランプ
１０  乾電池
１１  乾電池ボックス
１２  電源スイッチ
１３  出入口
１４  外壁
１５  薬剤蒸散装置
１６  シミュレーションルーム
【図１】
2005295810.tif 000004
【図２】
2005295810.tif 000005
【図３】
2005295810.tif 000006
【図４】
2005295810.tif 000007
【図５】
2005295810.tif 000008